(57)【特許請求の範囲】
【請求項１】
端末が遊休モード動作を行う方法であって、
第１ページンググループの第１ページング情報及び第２ページンググループの第２ページング情報を、少なくとも一つの基地局から受信する段階と、
前記第１ページンググループに属する第１カバレッジにおいて遊休モードに進入しながら周期的位置更新のための第１タイマーを始動する段階と、
現在選好基地局のページンググループを判断する段階と、
前記判断の結果、前記現在選好基地局のページンググループが前記第２ページンググループである場合、第２タイマーを始動する段階と、
前記第２タイマーが満了すると、位置更新を行う段階と、
を含む遊休モード動作実行方法。
【請求項２】
前記第２タイマーが満了していない場合、前記端末が、前記第２ページンググループに属する第２カバレッジに位置する間において、前記第１タイマーの満了したか否かにかかわらず、前記周期的位置更新を行わないことを特徴とする、請求項１に記載の遊休モード動作実行方法。
【請求項３】
前記ページンググループを判断する段階は、
前記現在選好基地局のページンググループ識別子を含むメッセージを受信する段階を含む、請求項１に記載の遊休モード動作実行方法。
【請求項４】
前記第２タイマーが満了して位置更新が行われる場合、前記第１タイマー及び前記第２タイマーは両方ともリセットされることを特徴とする、請求項１に記載の遊休モード動作実行方法。
【請求項５】
前記端末が前記第２ページンググループに属する第２カバレッジに位置する間において、前記第２ページング情報を用いてページングメッセージを受信する段階をさらに含む、請求項１に記載の遊休モード動作実行方法。
【請求項６】
前記第１ページング情報及び前記第２ページング情報のそれぞれは、
ページング周期、ページングオフセット、ページング聴取区間、ページンググループ識別子及びページングコントローラ識別子のうち少なくとも一つを含む、請求項１に記載の遊休モード動作実行方法。
【請求項７】
前記第１カバレッジは、少なくとも一つのマクロ基地局を含み、
前記第２カバレッジは、少なくとも一つのフェムト基地局を含む、請求項２に記載の遊休モード動作実行方法。
【請求項８】
前記端末が、前記第２タイマーが満了する前に、前記第２カバレッジから前記第１カバレッジに復帰する場合、前記第２タイマーをリセットする段階をさらに含む、請求項２に記載の遊休モード動作実行方法。
【請求項９】
遊休モード動作を行う端末であって、
プロセッサと、
前記プロセッサの制御に応じて無線信号を外部と送受信するための無線通信モジュールと、を含み、
前記プロセッサは、
第１ページンググループの第１ページング情報及び第２ページンググループの第２ページング情報を、少なくとも一つの基地局から受信し、前記第１ページンググループに属する第１カバレッジにおいて遊休モードに進入しながら、周期的位置更新のための第１タイマーを始動した後、現在選好基地局のページンググループを判断して、前記現在選好基地局のページンググループが前記第２ページンググループであると、第２タイマーを始動し、前記第２タイマーが満了すると位置更新を行うように制御することを特徴とする、端末。
【請求項１０】
前記プロセッサは、
前記第２タイマーが満了していない場合、前記端末が、前記第２ページンググループに属する第２カバレッジに位置する間において、前記第１タイマーの満了したか否かにかかわらず、前記周期的位置更新が行われないように制御することを特徴とする、請求項９に記載の端末。
【請求項１１】
前記プロセッサは、
前記現在選好基地局のページンググループ識別子を含むメッセージを受信して前記現在選好基地局のページンググループを判断することを特徴とする、請求項９に記載の端末。
【請求項１２】
前記プロセッサは、
前記第２タイマーが満了して位置更新を行う場合、前記第１タイマー及び前記第２タイマーを両方ともリセットすることを特徴とする、請求項９に記載の端末。
【請求項１３】
前記プロセッサは、
前記端末が、前記第２ページンググループに属する第２カバレッジに位置する間において、前記第２ページング情報を用いてページングメッセージを受信するように制御することを特徴とする、請求項９に記載の端末。
【請求項１４】
前記第１ページング情報及び前記第２ページング情報のそれぞれは、
ページング周期、ページングオフセット、ページング聴取区間、ページンググループ識別子及びページングコントローラ識別子のうち少なくとも一つを含む、請求項９に記載の端末。
【請求項１５】
前記第１カバレッジは、少なくとも一つのマクロ基地局を含み、
前記第２カバレッジは、少なくとも一つのフェムト基地局を含む、請求項１０に記載の端末。
【請求項１６】
前記プロセッサは、
前記端末が、前記第２タイマーが満了する前に、前記第２カバレッジから前記第１カバレッジに復帰する場合、前記第２タイマーをリセットすることを特徴とする、請求項１０に記載の端末。
【発明の詳細な説明】
【技術分野】
【０００１】
本発明は、フェムトセルを適用した無線接続システムに関するものである。また、本発明は、フェムトセル環境で遊休モード移動局の通信方法に関するものである。
【背景技術】
【０００２】
フェムトセル（Ｆｅｍｔｏ  Ｃｅｌｌ）について簡略に説明すると、下記の通りである。
【０００３】
フェムト（Ｆｅｍｔｏ）は、１０−１５という極めて小さい単位を表し、この意味にちなんで、超小型／低電力の家庭／事務室向けの屋内基地局をフェムトセルと名づけた。フェムトセルは、ピコセル（ｐｉｃｏ  ｃｅｌｌ）と略同様の意味を有するが、より進化した機能を持つ意味として使われている。フェムトセルは、広帯域ルータに連結する小型のセルラー基地局で、既存の２Ｇシステムの他、３Ｇシステムの音声及びデータも、ＤＳＬリンクなどを通じて移動通信メーカーのバックボーン網に連結することができる。
【０００４】
次に、このようなフェムトセルのメリットについて説明する。
【０００５】
近年、フェムトセルが３Ｇ普及を促し、屋内カバレッジを広げる起爆剤になりうるという調査報告書が発表されて注目を集めている。２０１１年まで全世界のフェムトセル端末ユーザが１億２００万名に増えると共に、基地局であるＡＰ（Ａｃｃｅｓｓ  Ｐｏｉｎｔ）の設置も３，２００万個に達すると見込まれている。
【０００６】
また、フェムトセルは、セルカバレッジを強化でき、音声サービスの品質（Ｑｕａｌｉｔｙ）を高めることができる。また、移動通信メーカーがフェムトセルを介したデータサービスを提供することによって、加入者を完全に３Ｇに適応させうると予想される。
【０００７】
すなわち、フェムトセルを用いた通信システムは、（１）セルカバレッジの向上（Ｃｅｌｌ  Ｃｏｖｅｒａｇｅ  Ｉｍｐｒｏｖｅｍｅｎｔ）、（２）インフラ構築費用の減少（Ｉｎｆｒａｓｔｒｕｃｔｕｒｅ  ｃｏｓｔ  ｄｅｃｒｅａｓｅ）、（３）新しいサービス提供（Ｎｅｗ  ｓｅｒｖｉｃｅ  Ｏｆｆｅｒｉｎｇ）、（４）ＦＭＣ（Ｆｉｘｅｄ  Ｍｏｂｉｌｅ  Ｃｏｎｖｅｒｇｅｎｃｅ）加速化といったメリットを有する。
【０００８】
一つ以上のフェムトセルは、特定サービス別または地域別にグルーピングされてフェムトセルグループ（Ｆｅｍｔｏｃｅｌｌ  Ｇｒｏｕｐ）を構成することができる。例えば、特定端末にのみ接続（Ａｃｃｅｓｓ）が許諾されたフェムトセルグループを閉加入者グループ（ＣＳＧ：Ｃｌｏｓｅｄ  Ｓｕｂｓｃｒｉｂｅｒ  Ｇｒｏｕｐ）と呼ぶことができる。フェムト基地局（ＦＢＳ）は、端末のＣＳＧ識別子（ＣＳＧ  ＩＤ）を確認して、ＣＳＧに加入した端末に限って接続を許諾することができる。
【０００９】
図１は、オーバーレイ（ｏｖｅｒｌａｙ）ネットワークでフェムトセル配置構造の一例を示す図である。
【００１０】
図１を参照すると、フェムトセル基地局のバックボーン（Ｂａｃｋｂｏｎｅ）網は、有線で連結されたＩＳＰ網に直接連結されており、ＩＳＰ網との連結点にフェムトセルゲートウェイ（ＦＧＷ：Ｆｅｍｔｏｃｅｌｌ  ＧａｔｅＷａｙ）が存在できる。ＦＧＷは、マクロ基地局（ＭＢＳ：Ｍａｃｒｏ  Ｂａｓｅ  Ｓｔａｔｉｏｎ）との通信を連結する接点の役割を果たすことができる。
【００１１】
ＦＧＷは、フェムトセル基地局（ＦＢＳ：Ｆｅｍｔｏｃｅｌｌ  Ｂａｓｅ  Ｓｔａｔｉｏｎ）と直接連結されていても良く、ＩＳＰごとに統合されたサーバー概念としてコア網（Ｃｏｒｅ  Ｎｅｔｗｏｒｋ）とＩＳＰ網との間に位置することもできる。また、システムは、ＦＧＷの位置によらず、ＣＮＳ  ＧＷ、ＡＳＮ  ＧＷを通じてマクロＢＳとの通信を保障することもできる。オーバーレイネットワークではＭＢＳがＦＢＳに対する一部または全部の情報を送受信したり保存することができる。
【００１２】
また、フェムトセル基地局構成（Ｆｅｍｔｏｃｅｌｌ  ＢＳ  Ｃｏｎｆｉｇｕｒａｔｉｏｎ）が終わると、ＭＢＳはＦＢＳの位置情報を含む情報を認知でき、これにより、ＭＢＳはＦＢＳと無線インターフェース（すなわち、Ａｉｒ−Ｉｎｔｅｒｆａｃｅ）通信を直接行うことができる。
【００１３】
この時、端末のホームフェムト基地局（Ｈｏｍｅ  Ｆｅｍｔｏ  ＢＳ）及び閉加入者グループ（ＣＳＧ）フェムト基地局を含むマクロ基地局を、オーバーレイマクロ基地局（Ｏｖｅｒｌａｙ  Ｍａｃｒｏ  ＢＳ）と呼ぶことができる。
【００１４】
図２は、非オーバーレイ（Ｎｏｎ−ｏｖｅｒｌａｙ）ネットワークでフェムトセル配置構造の一例を示す図である。
【００１５】
非オーバーレイ構造でＭＢＳの隣接した境界部分にユーザが一時的に多い場合、マクロセルの境界部分にＦＢＳが設置されることがある。このような場合、ＭＢＳはそれらＦＢＳに関する全ての情報を保存できない場合がありうる。この場合、ＦＧＷはオーバーレイ構造におけると同様にＭＢＳとの通信を連結する接点の役割を果たすことができる。
【００１６】
以下では、本発明の実施例と関連した端末の遊休モード及びページンググループについて簡略に説明する。
【００１７】
遊休モード（Ｉｄｌｅ  Ｍｏｄｅ）とは、一般に、端末が多重基地局で構成された無線リンク環境で移動する際、特定基地局に登録しなくてもダウンリンク（ＤＬ：ＤｏｗｎＬｉｎｋ）ブロードキャストトラフィックを周期的に受信できるように支援する動作のことをいう。
【００１８】
端末は、一定時間の間に基地局からトラフィック（ｔｒａｆｆｉｃ）を受信しなかった場合、電力を節約（Ｐｏｗｅｒ  ｓａｖｉｎｇ）するために遊休モードに遷移することができる。遊休モードに遷移した端末は、平均的期間（Ａｖａｉｌａｂｌｅ  ｉｎｔｅｒｖａｌ）の間に基地局が伝送する放送メッセージ（例えば、ページングメッセージ）を受信して、正規モード（ｎｏｒｍａｌ  ｍｏｄｅ）に遷移するかまたは遊休モードに留まるかを判断することができる。また、遊休モードにある端末は位置更新を行うことによって、ページングコントローラ（Ｐａｇｉｎｇ  ｃｏｎｔｒｏｌｌｅｒ）に自身の位置を知らせることができる。
【００１９】
遊休モードは、ハンドオーバーに関連した活性要求及び一般的な運営要求を除去することによって端末に良い結果をもたらすことができる。遊休モードは端末活動を離散周期でスキャニングするように制限することによって、端末が使用する電力及び運用リソースを節約できるようにする。
【００２０】
また、遊休モードは、端末に保留中（ｐｅｎｄｉｎｇ）であるダウンリンクトラフィックについて知らせうる簡単で適切な方式を提供し、非活動的な端末から無線インターフェース及びネットワークハンドオーバー（ＨＯ：ＨａｎｄＯｖｅｒ）トラフィックを除去することによって、ネットワーク及び基地局に良い結果をもたらすことができる。
【００２１】
ページングとは、移動通信において着信呼の発生時に、該当する移動端末（ＭＳ：Ｍｏｂｉｌｅ  Ｓｔａｔｉｏｎ）の位置（例えば、どの基地局またはどの交換局にあるか等）を把握する機能のことをいう。遊休モード（Ｉｄｌｅ  Ｍｏｄｅ）を支援する多数の基地局（ＢＳ：Ｂａｓｅ  Ｓｔａｔｉｏｎ）は、特定のページンググループ（Ｐａｇｉｎｇ  Ｇｒｏｕｐ）に所属してページング領域を構成することができる。
【００２２】
ここで、ページンググループは論理的なグループを表す。ページンググループの目的は、移動端末（ＭＳ）をターゲット（ｔａｒｇｅｔ）とするトラフィックがある場合、ダウンリンク（ＤＬ：ＤｏｗｎＬｉｎｋ）でページ（ｐａｇｅ）されうる隣接範囲領域を提供することにある。ページンググループは、特定端末が同一のページンググループ内で大部分の時間の間に存在できる程度に十分に大きく、ページング負荷を適正なレベルに維持するために十分に小さくなければならないという条件を満たすことが好ましい。
【００２３】
ページンググループは、一つ以上の基地局を含むことができ、一つの基地局は、一つまたはそれ以上のページンググループに含まれることができる。ページンググループは管理システムで定義する。ページンググループではページンググループ−実行（ａｃｔｉｏｎ）バックボーン網メッセージを使用することができる。また、ページングコントローラは、バックボーン網メッセージの一つであるページング公知（ｐａｇｉｎｇ−ａｎｎｏｕｎｃｅ）メッセージを用いて遊休モードである端末のリストを管理し、ページンググループに属する全ての基地局の初期ページングを管理することができる。
【００２４】
ページングの成功率を高めるために、端末は位置更新（Ｌｏｃａｔｉｏｎ  Ｕｐｄａｔｅ）手順を行うことができる。位置更新とは、遊休モードに進入した端末に対するページング時の成功率（ｈｉｔ  ｒａｔｉｏ）を高めるための端末の動作で、端末が新しい地域へと移動する時、自身が進入した新しい位置または領域を網（ｎｅｔｗｏｒｋ）に報告する過程のことをいう。このような位置更新手順は、端末と基地局がレンジング要請（ＲＮＧ−ＲＥＱ）メッセージ及びレンジング応答（ＲＮＧ−ＲＳＰ）メッセージを交換する方法で行うことができる。
【発明の概要】
【発明が解決しようとする課題】
【００２５】
本発明の実施例は、フェムトセル環境を考慮する場合に適用されることができる。移動局がマクロセルからフェムトセルに移動したり、自身のホームフェムトセル領域を外れたりする場合、移動局は位置更新を行うことができる。この場合、移動局がフェムトセル領域を外れる時間が少ないにもかかわらず、続けて位置更新を行うと、過度な位置更新オーバーヘッドを発生させる問題につながる。
【００２６】
また、移動局は、フェムトセル環境でページングメッセージをマクロ基地局（ＭＢＳ）及び／またはフェムト基地局（ＦＢＳ）から受信することができる。ただし、移動局がフェムト基地局のセル領域（例えば、フェムトセル領域）でマクロ基地局からページングメッセージを受信する場合には、フェムト基地局からページングメッセージを受信する場合に比べてページングオーバーヘッドが増加することがある。
【００２７】
逆に、移動局がフェムト基地局からページングメッセージを受信するためには、フェムト基地局のセル領域に進入する度に位置更新を行わなければならず、位置更新オーバーヘッドが増加することがある。
【００２８】
本発明は上記のような一般的な技術の問題点を解決するために案出されたもので、その目的は、フェムトセル環境で効率的な通信方法を提供することにある。
【００２９】
本発明の他の目的は、過度な位置更新オーバーヘッド無しで遊休モード移動局が位置更新を行う様々な方法を提供することにある。
【００３０】
本発明のさらに他の目的は、遊休モードで移動局が行う位置更新のオーバーヘッドを減らすと同時にページングメッセージのオーバーヘッドを減らすための通信方法を提供することにある。
【００３１】
本発明で解決しようとする技術的課題は、以上で言及した技術的課題に制限されず、言及していない他の技術的課題は、下の記載から、本発明の属する技術分野における通常の知識を有する者には明確になるであろう。
【課題を解決するための手段】
【００３２】
上記の技術的課題を解決するために、本発明は、フェムトセルを適用した無線接続システムについて開示する。また、本発明は、フェムトセル環境で遊休モード移動局の様々な通信方法について開示する。
【００３３】
本発明の一様態として、フェムトセル環境でページングメッセージを受信する方法は、第１基地局からページング情報、第１セル領域の第１ページンググループ識別子及び第２セル領域の第２ページンググループ識別子のうち一つ以上を含む登録解除命令メッセージを受信する段階と、移動局が第１基地局と位置更新を行うための第１タイマーを設定する段階と、移動局が第１セル領域から第２セル領域へ移動する段階と、移動局が第１タイマーベースの位置更新を所定の期間遅延するための第２タイマーを設定する段階と、第２セル領域でページングメッセージ（例えば、ページング広告メッセージ）を受信する段階と、を含むことができる。
【００３４】
上記の本発明の一様態において、第２タイマーが満了すると、移動局は第２セル領域で位置更新を行うことができる。この時、ページングメッセージを受信する段階で、ページングメッセージは第２基地局から伝送されることができる。
【００３５】
または、上記の本発明の一様態におけるページングメッセージを受信する段階で、移動局は第２セル領域で第１基地局からページングメッセージを受信することもできる。
【００３６】
上記の本発明の一様態において、第２タイマーが満了する前に第１タイマーが満了すると、第２セル領域で位置更新を行うことができる。
【００３７】
上記の本発明の一様態において、好適には、第１セル領域はマクロセル領域であり、第１ページンググループ識別子はマクロページンググループ識別子であり、第２セル領域はフェムトセル領域であり、第２ページンググループ識別子はフェムトページンググループ識別子である。または、第１セル領域はフェムトセル領域であり、第１ページンググループ識別子はフェムトページンググループ識別子であり、第２セル領域はマクロセル領域であり、第２ページンググループ識別子はマクロページンググループ識別子であっても良い。
【００３８】
上記の本発明の一様態において、第１ページンググループ識別子及び第２ページンググループ識別子は互いに相関関係を有することが好ましい。
【００３９】
本発明の他の様態として、フェムトセル環境で第１基地局から第１セル領域にページングメッセージを伝送する方法は、移動局から登録解除要請メッセージを受信する段階と、移動局にページング情報、第１セル領域の第１ページンググループ識別子及び第２セル領域の第２ページンググループ識別子を含む登録解除命令メッセージを伝送する段階と、移動局にページングメッセージ（例えば、ページング広告メッセージ）を伝送する段階と、を含むことができる。この時、移動局が第１セル領域から第２セル領域へ移動すると、移動局は位置更新を所定の期間遅延するための第１タイマーを設定することができる。
【００４０】
上記本発明の他の様態において、第１基地局が移動局から応答メッセージを受信できないと、第１基地局はページングメッセージを所定の回数だけ反復して放送または伝送することができる。この時、第１基地局が所定の回数だけページングメッセージを伝送した後に移動局から応答メッセージを受信できないと、第１基地局はページング制御機にページングメッセージの伝送失敗を知らせる報告メッセージを伝送することができる。ページング制御機は、該報告メッセージを受信すると、第２セル領域に属する第２基地局にページングメッセージの存在を知らせるページングアナウンスメントメッセージ（Ｐａｇｉｎｇ  Ａｎｎｏｕｎｃｅｍｅｎｔ  ｍｅｓｓａｇｅ）を伝送することができる。
【００４１】
上記の本発明の他の様態において、好適には、第１セル領域はマクロセル領域であり、第１ページンググループ識別子はマクロページンググループ識別子であり、第２セル領域はフェムトセル領域であり、第２ページンググループ識別子はフェムトページンググループ識別子である。または、第１セル領域はフェムトセル領域で、第１ページンググループ識別子はフェムトページンググループ識別子であり、第２セル領域はマクロセル領域であり、第２ページンググループ識別子はマクロページンググループ識別子であっても良く。
【００４２】
上記の本発明の他の様態において、第１ページンググループ識別子及び第２ページンググループ識別子は互いに相関関係を有することが好ましい。
【００４３】
本発明のさらに他の様態として、フェムトセル環境で端末がページングメッセージを受信する方法は、第１基地局から第１セル領域の第１ページング情報及び第２セル領域の第２ページング情報を含む登録解除命令メッセージを受信する段階と、前記第１基地局と位置更新を行うための第１タイマーを設定する段階と、前記第１セル領域から第２セル領域へ移動する段階と、前記位置更新を所定の期間遅延するための第２タイマーを設定する段階と、前記第１ページング情報及び第２ページング情報を用いて前記ページングメッセージをモニタリングする段階と、を含むことができる。
【００４４】
ここで、前記受信方法は、前記第１タイマー及び第２タイマーのいずれか一方が満了すると、前記第２セル領域で前記位置更新を行う段階をさらに含むことができる。
【００４５】
また、前記モニタリングする段階は、前記第２タイマーが満了するまで行われることができる。
【００４６】
なお、前記第２タイマーが満了して前記位置更新を行った場合、前記端末は、前記第２ページング情報を用いて前記第２基地局からページングメッセージを受信することができる。
【００４７】
本発明のさらに他の様態として、フェムトセル環境で端末がページングメッセージを受信する方法は、第１基地局から第１セル領域の第１ページング情報を含む登録解除命令メッセージを受信する段階と、前記第１基地局と位置更新を行うための第１タイマーを設定する段階と、前記第１セル領域から第２セル領域へ移動する段階と、前記位置更新を所定の期間遅延するための第２タイマーを設定する段階と、前記第２タイマーが満了すると、前記位置更新を行うためのレンジング応答メッセージを第２基地局から受信する段階と、を含むことができる。ここで、前記レンジング応答メッセージは、第２セル領域の第２ページング情報を含み、前記第１ページング情報は、前記位置更新が行われた後にも前記端末に保持（ｒｅｔａｉｎ）されることができる。
【００４８】
ここで、前記方法は、前記第２セルで前記第２ページング情報を用いて前記ページングメッセージを受信する段階をさらに含むことができる。
【００４９】
また、前記方法は、前記第２領域から前記第１領域へ移動する段階と、前記第２タイマーを再設定する段階と、前記第２タイマーが満了になるまで前記第１ページング情報及び第２ページング情報を用いて前記ページングメッセージをモニタリングする段階と、をさらに含むことができる。
【００５０】
なお、前記第１ページング情報及び前記第２ページング情報は、該当のセル領域に対するページング周期（ｐａｇｉｎｇ  ｃｙｃｌｅ）、ページングオフセット（ｐａｇｉｎｇ  ｏｆｆｓｅｔ）、ページング聴取区間（ｐａｇｉｎｇ  ｌｉｓｔｅｎｉｎｇ  ｉｎｔｅｒｖａｌ）、ページンググループ識別子（ｐａｇｉｎｇ  ｇｒｏｕｐ  ＩＤ）及びページングコントローラ識別子（ｐａｇｉｎｇ  ｃｏｎｔｒｏｌｌｅｒ  ＩＤ）のうち少なくとも一つを含むことができる。
【００５１】
本発明のさらに他の様態として、フェムトセル環境で端末にページングメッセージを伝送する方法は、第１基地局が端末から登録解除要請メッセージを受信する段階と、前記端末に第１セル領域の第１ページング情報を含む登録解除命令メッセージを伝送する段階と、前記端末にページングメッセージを伝送する段階と、を含み、前記端末が前記第１セル領域から前記第２セル領域へ移動すると、前記端末は位置更新を所定の期間遅延するための所定のタイマーを設定することができる。
【００５２】
この時、前記端末から前記ページングメッセージに対する応答メッセージを受信できないと、前記第２セル領域を担当する第２基地局に、前記ページングメッセージを前記端末に伝送するように要請するメッセージを伝送する段階をさらに含むことができる。
【００５３】
また、前記第２基地局に前記ページングメッセージを前記端末に伝送するように要請するメッセージを伝送する段階は、前記ページングメッセージを伝送する段階を所定の回数だけ反復した後にも前記ページングメッセージに対する応答メッセージが受信されない場合に行うことができる。
【００５４】
また、前記端末は前記第２基地局から前記第２セル領域の第２ページング情報を用いて前記ページングメッセージを受信することができる。
【００５５】
また、前記第２ページング情報は、前記登録解除命令メッセージまたは前記位置更新を行う過程で前記第２基地局から伝送されるレンジング応答（ＲＮＧ−ＲＳＰ）メッセージを通じて端末に獲得されることができる。
【００５６】
以上の実施例において、前記第１基地局はマクロ基地局であり、前記第１セル領域はマクロセル領域であり、前記第２基地局はフェムト基地局であり、前記第２セル領域はフェムトセル領域でありうる。
【００５７】
また、以上の実施例において、前記第１基地局はフェムト基地局であり、前記第１セル領域はフェムトセル領域であり、前記第２基地局はマクロ基地局であり、前記第２セル領域はマクロセル領域であっても良い。
【００５８】
以上の実施例に係るページングメッセージ受信方法を実行可能な移動端末機は、プロセッサと、前記プロセッサの制御によって外部と無線信号を送受信するための無線通信（ＲＦ）モジュールと、を含み、前記プロセッサは、前記無線通信モジュールを制御して第１基地局から第１セル領域の第１ページング情報及び第２セル領域の第２ページング情報を含む登録解除命令メッセージを受信し、前記第１基地局と位置更新を行うための第１タイマーを設定し、前記移動端末機が前記第１セル領域から第２セル領域へ移動する場合、前記位置更新を所定の期間遅延するための第２タイマーを設定して、前記第１ページング情報及び第２ページング情報を用いて前記ページングメッセージをモニタリングするように制御することができる。
【００５９】
ここで、前記プロセッサは、前記第１タイマー及び第２タイマーのいずれか一方が満了すると、前記第２セル領域で前記位置更新を行うように制御することができる。
【００６０】
また、前記プロセッサは、前記モニタリングが前記第２タイマーが満了するまで行われるように制御することができる。
【００６１】
なお、前記プロセッサは、前記第２タイマーが満了して前記位置更新を行った場合、前記第２ページング情報を用いて前記第２基地局からページングメッセージを受信するように前記無線通信モジュールを制御することができる。
（項目１）
フェムトセル環境で端末がページングメッセージを受信する方法であって、
第１基地局から、第１セル領域の第１ページング情報及び第２セル領域の第２ページング情報を含む登録解除命令メッセージを受信する段階と、
前記第１基地局と位置更新を行うための第１タイマーを設定する段階と、
前記第１セル領域から第２セル領域へ移動する段階と、
前記位置更新を所定の期間遅延するための第２タイマーを設定する段階と、
前記第１ページング情報及び第２ページング情報を用いて前記ページングメッセージをモニタリングする段階と、
を含む、ページングメッセージ受信方法。
（項目２）
前記第１タイマー及び第２タイマーのうちのいずれか一方が満了すると、前記第２セル領域で前記位置更新を行う段階をさらに含む、項目１に記載のページングメッセージ受信方法。
（項目３）
前記モニタリングする段階は、前記第２タイマーが満了するまで行われることを特徴とする、項目２に記載のページングメッセージ受信方法。
（項目４）
前記第２タイマーが満了して前記位置更新を行った場合、前記端末は、前記第２ページング情報を用いて前記第２基地局からページングメッセージを受信することを特徴とする、項目３に記載のページングメッセージ受信方法。
（項目５）
フェムトセル環境で端末がページングメッセージを受信する方法であって、
第１基地局から、第１セル領域の第１ページング情報を含む登録解除命令メッセージを受信する段階と、
前記第１基地局と位置更新を行うための第１タイマーを設定する段階と、
前記第１セル領域から第２セル領域へ移動する段階と、
前記位置更新を所定の期間遅延するための第２タイマーを設定する段階と、
前記第２タイマーが満了すると、前記位置更新を行うためのレンジング応答メッセージを第２基地局から受信する段階と、を含み、
前記レンジング応答メッセージは、第２セル領域の第２ページング情報を含み、前記第１ページング情報は、前記位置更新が行われた後にも前記端末に保持（ｒｅｔａｉｎ）されることを特徴とする、ページングメッセージ受信方法。
（項目６）
前記第２セルで前記第２ページング情報を用いて前記ページングメッセージを受信する段階をさらに含む、項目５に記載のページングメッセージ受信方法。
（項目７）
前記第２領域から前記第１領域へ移動する段階と、
前記第２タイマーを再設定する段階と、
前記第２タイマーが満了するまで前記第１ページング情報及び第２ページング情報を用いて前記ページングメッセージをモニタリングする段階と、
をさらに含む、項目５に記載のページングメッセージ受信方法。
（項目８）
前記第１ページング情報及び前記第２ページング情報は、該当のセル領域に対するページング周期（ｐａｇｉｎｇ  ｃｙｃｌｅ）、ページングオフセット（ｐａｇｉｎｇ  ｏｆｆｓｅｔ）、ページング聴取区間（ｐａｇｉｎｇ  ｌｉｓｔｅｎｉｎｇ  ｉｎｔｅｒｖａｌ）、ページンググループ識別子（ｐａｇｉｎｇ  ｇｒｏｕｐ  ＩＤ）及びページングコントローラ識別子（ｐａｇｉｎｇ  ｃｏｎｔｒｏｌｌｅｒ  ＩＤ）のうち少なくとも一つを含むことを特徴とする、項目１または５に記載のページングメッセージ受信方法。
（項目９）
前記第１基地局はマクロ基地局であり、前記第１セル領域はマクロセル領域であり、
前記第２基地局はフェムト基地局であり、前記第２セル領域はフェムトセル領域であることを特徴とする、項目１または５に記載のページングメッセージ受信方法。
（項目１０）
前記第１基地局はフェムト基地局であり、前記第１セル領域はフェムトセル領域であり、
前記第２基地局はマクロ基地局であり、前記第２セル領域はマクロセル領域であることを特徴とする、項目１または５に記載のページングメッセージ受信方法。
（項目１１）
フェムトセル環境で端末にページングメッセージを伝送する方法であって、
第１基地局が端末から登録解除要請メッセージを受信する段階と、
前記端末に第１セル領域の第１ページング情報及び第２セル領域の第２ページング情報を含む登録解除命令メッセージを伝送する段階と、
前記端末にページングメッセージを伝送する段階と、を含み、
前記端末が前記第１セル領域から前記第２セル領域へ移動すると、前記端末は、位置更新を所定の期間遅延するための所定のタイマーを設定し、前記第１ページング情報及び前記第２ページング情報を用いて前記ページングメッセージをモニタリングすることを特徴とする、ページングメッセージ伝送方法。
（項目１２）
前記端末から前記ページングメッセージに対する応答メッセージを受信できないと、前記第２セル領域を担当する第２基地局に、前記ページングメッセージを前記端末に伝送するように要請するメッセージを伝送する段階をさらに含む、項目１１に記載のページングメッセージ伝送方法。
（項目１３）
前記第２基地局に、前記ページングメッセージを前記端末に伝送するように要請するメッセージを伝送する段階は、
前記ページングメッセージを伝送する段階を所定の回数だけ反復した後にも前記ページングメッセージに対する応答メッセージが受信されない場合に行われることを特徴とする、項目１２に記載のページングメッセージ伝送方法。
（項目１４）
前記第１基地局はマクロ基地局であり、前記第１セル領域はマクロセル領域であり、
前記第２基地局はフェムト基地局であり、前記第２セル領域はフェムトセル領域であることを特徴とする、項目１１に記載のページングメッセージ伝送方法。
（項目１５）
前記第１基地局はフェムト基地局であり、前記第１セル領域はフェムトセル領域であり、
前記第２基地局はマクロ基地局であり、前記第２セル領域はマクロセル領域であることを特徴とする、項目１１に記載のページングメッセージ伝送方法。
（項目１６）
プロセッサと、
前記プロセッサの制御によって外部と無線信号を送受信するための無線通信（ＲＦ）モジュールと、を含んでなり、
前記プロセッサは、
前記無線通信モジュールを制御して、第１基地局から、第１セル領域の第１ページング情報及び第２セル領域の第２ページング情報を含む登録解除命令メッセージを受信し、前記第１基地局と位置更新を行うための第１タイマーを設定し、前記移動端末機が前記第１セル領域から第２セル領域へ移動する場合に前記位置更新を所定の期間遅延するための第２タイマーを設定して、前記第１ページング情報及び第２ページング情報を用いて前記ページングメッセージをモニタリングするように制御することを特徴とする、移動端末機。
【発明の効果】
【００６２】
本発明の実施例によれば、下記のような効果が得られる。
【００６３】
第一、本発明の実施例によると、端末及び基地局がフェムトセル環境で効率的に通信を行うことが可能になる。
【００６４】
第二、本発明の実施例によると、位置更新オーバーヘッド及びページングオーバーヘッドを最小化することができる。
【００６５】
本発明の実施例で得られる効果は、以上に言及した効果に制限されず、言及していない他の効果は、以下の本発明の実施例についての記載から、本発明の属する技術の分野における通常の知識を有する者にとって明確に導出され、理解されるであろう。すなわち、本発明の出願段階で意図しない効果も、本発明の実施例から、当該技術分野における通常の知識を有する者により導出されることができる。
【図面の簡単な説明】
【００６６】
【図１】オーバーレイ（ｏｖｅｒｌａｙ）ネットワークでフェムトセル配置構造の一例を示す図である。
【図２】非オーバーレイ（Ｎｏｎ−ｏｖｅｒｌａｙ）ネットワークでフェムトセル配置構造の一例を示す図である。
【図３】無線接続システムの一つであるＩＥＥＥ  ８０２．１６システムにおけるページング手順を示す図である。
【図４】本発明の一実施例であって、移動局が遊休モード状態に遷移する過程の一例を示す図である。
【図５】本発明の他の実施例であって、移動局が位置更新を行う方法の一例を示す図である。
【図６】本発明の他の実施例であって、フェムトセル環境で移動局にページングメッセージを確かに伝送する方法の一例を示す図である。
【図７】本発明の他の実施例であって、フェムトセル環境で移動局にページングメッセージを確かに伝送する方法の他の例を示す図である。
【図８】本発明の他の実施例であって、移動局が位置更新を行う方法の一例を示す図である。
【図９】本発明の他の実施例であって、フェムトセル環境で移動局にページングメッセージを確かに伝送する方法のさらに他の例を示す図である。
【図１０】本発明の他の実施例であって、フェムトセル環境で端末にページングメッセージを確かに伝送する方法の一例を示す図である。
【図１１】本発明の他の実施例であって、フェムトセル環境で端末にページングメッセージを確かに伝送する方法の他の例を示す図である。
【図１２】本発明のさらに他の実施例であって、端末がページングメッセージを確かに受信する方法の一例を示す図である。
【図１３】本発明のさらに他の実施例であって、端末がページングメッセージを確かに受信する方法の他の例を示す図である。
【図１４】本発明の実施例で使用可能なフェムト基地局及びマクロ基地局のページング周期の一例を示す図である。
【図１５】本発明のさらに他の実施例であって、送信端及び受信端構造の一例を示すブロック図である。
【発明を実施するための形態】
【００６７】
本発明は、無線接続システムに関するものである。以下、本発明の実施例は、フェムトセルを適用した様々な無線接続システムについて開示する。また、本発明の実施例は、フェムトセル環境で遊休モード移動局の様々な通信方法を開示する。
【００６８】
下記の実施例は、本発明の構成要素及び特徴を所定の形態で結合したものである。各構成要素または特徴は、別の明示的な言及がない限り、選択的なものとして考慮することができる。各構成要素または特徴は、他の構成要素や特徴と結合しない形態で実施することもできる。また、一部の構成要素及び／または特徴を結合して本発明の実施例を構成することができる。本発明の実施例で説明される動作の順序は変更可能である。ある実施例の一部構成や特徴は、他の実施例に含まれることもでき、他の実施例の対応する構成または特徴に取って代わることもできる。
【００６９】
図面についての説明において、本発明の要旨を曖昧にさせる手順または段階などは記述せず、当業者のレベルで理解できる程度の手順または段階についても説明を省略するものとする。
【００７０】
本明細書において、本発明の実施例は、基地局と移動局間のデータ送受信関係を中心に説明された。ここで、基地局は、移動局と直接的に通信を行うネットワークの終端ノード（ｔｅｒｍｉｎａｌ  ｎｏｄｅ）の意味を有する。本文書で、基地局により行われると説明された特定動作は、場合によっては、基地局の上位ノード（ｕｐｐｅｒ  ｎｏｄｅ）により行われることもできる。
【００７１】
すなわち、基地局を含む多数のネットワークノード（ｎｅｔｗｏｒｋ  ｎｏｄｅｓ）からなるネットワークにおいて移動局との通信のために行われる種々の動作は、基地局または基地局以外の別のネットワークノードにより行われることができる。ここで、‘基地局’は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（Ａｃｃｅｓｓ  Ｐｏｉｎｔ）などの用語に代替可能である。また、‘移動局（ＭＳ：Ｍｏｂｉｌｅ  Ｓｔａｔｉｏｎ）’は、ＵＥ（Ｕｓｅｒ  Ｅｑｕｉｐｍｅｎｔ）、ＳＳ（Ｓｕｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）または端末（Ｔｅｒｍｉｎａｌ）などの用語に代替可能である。
【００７２】
また、送信端は、データサービスまたは音声サービスを提供する固定及び／または移動ノードを意味し、受信端は、データサービスまたは音声サービスを受信する固定及び／または移動ノードを意味する。したがって、アップリンクでは、移動局が送信端となり、基地局が受信端となりうる。同様に、ダウンリンクでは、移動局が受信端となり、基地局が送信端となりうる。
【００７３】
一方、本発明の移動局には、ＰＤＡ（Ｐｅｒｓｏｎａｌ  Ｄｉｇｉｔａｌ  Ａｓｓｉｓｔａｎｔ）、セルラーフォン、ＰＣＳ（Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォンなどを用いることができる。また、移動局は、個人携帯端末機（ＰＤＡ：Ｐｅｒｓｏｎａｌ  Ｄｉｇｉｔａｌ  Ａｓｓｉｓｔａｎｔ）、ハンドヘルドＰＣ（Ｈａｎｄ−Ｈｅｌｄ  ＰＣ）、ノートブックＰＣ、スマート（Ｓｍａｒｔ）フォン、マルチモードマルチバンド（ＭＭ−ＭＢ：Ｍｕｌｔｉ  Ｍｏｄｅ−Ｍｕｌｔｉ  Ｂａｎｄ）端末機などとすることができる。
【００７４】
ここで、スマートフォンとは、移動通信端末機及び個人携帯端末機の長所を混合した端末機で、移動通信端末機に個人携帯端末機の機能である日程管理、ファックス送受信及びインターネット接続などのデータ通信機能を統合した端末機のことを意味する。また、マルチモードマルチバンド端末機とは、マルチモデムチップを内蔵して携帯インターネットシステム及び他の移動通信システム（例えば、ＣＤＭＡ（Ｃｏｄｅ  Ｄｉｖｉｓｉｏｎ  Ｍｕｌｔｉｐｌｅ  Ａｃｃｅｓｓ）２０００システム、ＷＣＤＭＡ（Ｗｉｄｅｂａｎｄ  ＣＤＭＡ）システム等）のいずれにおいても作動できる端末機のことをいう。
【００７５】
本発明の実施例は様々な手段を通じて具現することができる。例えば、本発明の実施例は、ハードウェア、ファームウェア（ｆｉｒｍｗａｒｅ）、ソフトウェアまたはそれらの結合などにより具現することができる。
【００７６】
ハードウェアによる具現の場合、本発明の実施例に係る方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【００７７】
ファームウェアやソフトウェアによる具現の場合、本発明の実施例に係る方法は、以上で説明された機能または動作を行うモジュール、手順または関数などの形態で具現することができる。ソフトウェアコードはメモリーユニットに記憶されてプロセッサにより駆動されることができる。メモリーユニットは、プロセッサの内部または外部に設けられて、公知の様々な手段によりプロセッサとデータを交換することができる。
【００７８】
本発明の実施例は、無線接続システムであるＩＥＥＥ  ８０２システム、３ＧＰＰシステム、３ＧＰＰ  ＬＴＥシステム及び３ＧＰＰ２システムのうちの少なくとも一つに開示された標準文書によりサポートできる。すなわち、本発明の実施例において、本発明の技術的思想を明確にするために説明を省略した段階または部分は、上記の文書によりサポートできる。また、本文書で開示している用語はいずれも上記の標準文書により説明できる。特に、本発明の実施例は、ＩＥＥＥ  ８０２．１６システムの標準文書であるＰ８０２．１６−２００４、Ｐ８０２．１６ｅ−２００５及びＰ８０２．１６Ｒｅｖ２文書のうちの少なくとも一つによりサポートできる。
【００７９】
以下、本発明の好適な実施形態を、添付の図面を参照しつつ詳細に説明する。添付の図面と共に以下に開示される詳細な説明は、本発明の例示的な実施形態を説明するためのもので、本発明が実施されうる唯一の実施形態を示すものではない。
【００８０】
また、本発明の実施例で使われる特定用語は、本発明の理解を助けるために提供されたもので、このような特定用語の使用は、本発明の技術的思想を逸脱しない範囲で他の形態に変更可能である。
【００８１】
以下では、図３を参照して、一般的なＩＥＥＥ  ８０２．１６システムで端末が遊休モードに進入して動作する手順の一例を説明する。
【００８２】
図３を参照すると、まず、端末は、正規モード（Ｎｏｒｍａｌ  ｍｏｄｅ）から遊休モード（Ｉｄｌｅ  ｍｏｄｅ）に進入するために、サービング基地局に登録解除要請（ｄｅ−ｒｅｇｉｓｔｒａｔｉｏｎ  ｒｅｑｕｅｓｔ；以下、“ＤＲＥＧ−ＲＥＱ”という。）メッセージを伝送することができる（Ｓ３０１）。
【００８３】
ＤＲＥＧ−ＲＥＱメッセージを受信したサービング基地局は、端末及びサービング基地局の情報をページングコントローラ（Ｐａｇｉｎｇ  Ｃｏｎｒｔｏｌｌｅｒ）とやり取りすることができる。すなわち、サービング基地局は、遊休モードに進入する端末識別子及びサービング基地局識別子をページングコントローラに知らせることができる。また、ページングコントローラは、ページンググループ識別子（ＰＧＩＤ：Ｐａｇｉｎｇ  Ｇｒｏｕｐ  ＩＤ）またはページングコントローラ識別子（ＰＣＩＤ：Ｐａｇｉｎｇ  Ｃｏｎｔｒｏｌｌｅｒ  ＩＤ）情報をサービング基地局に知らせることができる。ページンググループ識別子またはページングコントローラ識別子は、ページングメッセージを送受信するのに用いることができる（Ｓ３０２）。
【００８４】
その後、サービング基地局は端末に登録解除命令（Ｄｅ−ＲＥＧｉｓｔｒａｔｉｏｎ  ＣｏＭｍａｎＤ；以下、“ＤＲＥＧ−ＣＭＤ”という。）を伝送することができる。サービング基地局は、登録解除要請メッセージに対する応答として登録解除命令（ＭＯＢ＿ＤＲＥＧ−ＣＭＤ）メッセージを端末に伝送することができる。登録解除命令メッセージはページング情報（Ｐａｇｉｎｇ  Ｉｎｆｏｒｍａｔｉｏｎ）を含むことができる。この時、ページング情報にはページング周期（Ｐａｇｉｎｇ  Ｃｙｃｌｅ）、ページングオフセット（Ｐａｇｉｎｇ  Ｏｆｆｓｅｔ）及びページング聴取区間（Ｐａｇｉｎｇ  Ｌｉｓｔｅｎ  Ｉｎｔｅｒｖａｌ）などのパラメータが含まれることができる。また、登録解除命令メッセージは、ページングコントローラ識別子及びページンググループ識別子をさらに含むことができる（Ｓ３０３）。
【００８５】
サービング基地局からＤＲＥＧ−ＣＭＤメッセージを受信した端末は、遊休モード進入要請が成功的に受諾されたことを確認し、遊休モードに進入することができる。端末は、ＭＯＢ＿ＤＲＥＧ−ＣＭＤメッセージを通じて受信したページング情報に基づいてページングメッセージを受信することができる。すなわち、端末は、ページング聴取区間に自身に伝達されるページングメッセージがある否か確認するために無線チャネル（Ｃｈａｎｎｅｌ）をモニターすることができる。その他の時間では端末は睡眠モード（Ｓｌｅｅｐ  ｍｏｄｅ  ｏｒ  Ｒａｄｉｏ  Ｔｕｒｎ  ｏｆｆ）で動作して、電力（Ｐｏｗｅｒ）消耗を減らすことができる（Ｓ３０４）。
【００８６】
ページングコントローラ（Ｐａｇｉｎｇ  Ｃｏｎｔｒｏｌｌｅｒ）には端末に対するコール（Ｃａｌｌ）または外部パケットが入ることができる（Ｓ３０５）。
【００８７】
これによってページングコントローラは端末を探索するページング（Ｐａｇｉｎｇ）手順を行うことができる。この時、ページングコントローラは、ページンググループ内の全ての基地局にページングアナウンスメントメッセージ（Ｐａｇｉｎｇ  Ａｎｎｏｕｎｃｅｍｅｎｔ  ｍｅｓｓａｇｅ）を伝達することができる（Ｓ３０６）。
【００８８】
ページングアナウンスメントメッセージを受信したページンググループ内の全ての基地局は、自身が管理する全ての端末にページング公示（ＭＯＢ＿ＰＡＧ−ＡＤＶ）メッセージをブロードキャストすることができる（Ｓ３０７）。
【００８９】
サービング基地局からページング公示メッセージを受信した端末はメッセージを確認し、自身をページングした場合にはノーマルモードに進入でき、サービング基地局と通信を行うことができる（Ｓ３０８、Ｓ３０９）。
【００９０】
図４は、本発明の一実施例であって、端末が遊休モード状態に遷移する過程の一例を示す図である。
【００９１】
図４ａを参照すると、端末（ＭＳ）は、フェムトセルで遊休モードに進入する場合には、フェムト基地局（ＦＢＳ）に登録解除要請（ＤＲＥＱ−ＲＥＱ）メッセージを伝送することができる（Ｓ４１０）。
【００９２】
ＦＢＳは、端末、ＦＢＳ及びマクロ基地局（ＭＢＳ：Ｍａｃｒｏ  ＢＳ）のうちの一つ以上の情報をページングコントローラ（ＰＣ：Ｐａｇｉｎｇ  Ｃｏｎｔｒｏｌｌｅｒ）と交換することができる（Ｓ４３０）。
【００９３】
端末がオーバーレイフェムトセル環境で遊休モードに進入する場合には、ＦＢＳは、ＦＢＳの属しているＣＳＧベースのページング識別子（Ｆ＿ＰＧＩＤ）を端末に割り当てることができる。この時、同一のＣＳＧグループに含まれたフェムト基地局は同一のＦ＿ＰＧＩＤを用いることができる。また、ＦＢＳは、ＦＢＳの属しているマクロセルのページンググループ識別子（Ｍ＿ＰＧＩＤ）を共に端末に伝送することによって、Ｆ＿ＰＧＩＤとＭ＿ＰＧＩＤとの相関関係を持たせることができる。このようなＭ＿ＰＧＩＤ及びＦ＿ＰＧＩＤは、ページング情報の形態で登録解除命令メッセージに含まれることができる。
【００９４】
ここで、ページング情報には、マクロ基地局が属しているページンググループの識別子（Ｍ＿ＰＧＩＤ：Ｍａｃｒｏ  ＢＳ  Ｐａｇｉｎｇ  Ｇｒｏｕｐ  ＩＤ）、フェムト基地局が属しているＣＳＧベースのページンググループ識別子（Ｆ＿ＰＧＩＤ：Ｆｅｍｔｏ  ＢＳ  Ｐａｇｉｎｇ  Ｇｒｏｕｐ  ＩＤ）及び端末が加入したＣＳＧ識別子（ＣＧＳ  ＩＤ）のうちの一つ以上が含まれることができる。
【００９５】
また、ページング情報には、ページング周期（Ｐａｇｉｎｇ  Ｃｙｃｌｅ）、ページングオフセット（Ｐａｇｉｎｇ  Ｏｆｆｓｅｔ）、ページング聴取区間（Ｐａｇｉｎｇ  Ｌｉｓｔｅｎｉｎｇ  Ｉｎｔｅｒｖａｌ）、ページンググループ識別子（Ｐａｇｉｎｇ  Ｇｒｏｕｐ  ＩＤ）及びページングコントローラ識別子（Ｐａｇｉｎｇ  Ｃｏｎｔｒｏｌｌｅｒ  ＩＤ）などが含まれることができる。これらの情報は基地局別にそれぞれ設定されて、互いに異なる値を有することができる。
【００９６】
ＦＢＳは、登録解除要請メッセージに対する応答としてマクロ基地局及びフェムト基地局のうち少なくとも一つのページング情報を含む登録解除命令（ＤＲＥＧ−ＣＭＤ）メッセージを端末に伝送することができる（Ｓ４５０）。
【００９７】
フェムト基地局（ＦＢＳ）からＤＲＥＧ−ＣＭＤメッセージを受信した端末は、遊休モードに進入することができる（Ｓ４７０）。
【００９８】
図４ｂは、図４ａと略同様である。ただし、端末がマクロ基地局（ＭＢＳ）にある時に遊休モードに進入する点が、図４ａと異なる。
【００９９】
したがって、端末はＭＢＳにＤＲＥＧ−ＲＥＱメッセージを伝送し（Ｓ４２０）、ＭＢＳは端末及びＭＢＳ及び／またはＦＢＳ情報をページングコントローラ（ＰＣ）と交換し（Ｓ４４０）、ＭＢＳは端末にページング情報、Ｍ＿ＰＧＩＤ及びＦ＿ＰＧＩＤのうち一つ以上を含むＤＲＥＧ−ＣＭＤメッセージを伝送することができる（Ｓ４６０）。
【０１００】
もし、Ｆ＿ＰＧＩＤを含むＦＢＳのページング情報がＤＲＥＧ−ＣＭＤメッセージを通じて伝送されないと、端末は、位置更新を行う時にＦＢＳから伝送されるレンジング応答（ＲＮＧ−ＲＳＰ）メッセージを通じてＦＢＳのページング情報を獲得することができる。これについての詳細は後述される。
【０１０１】
下記の表１は、本発明の実施例でマクロ基地局が自身及びＦＢＳのページング情報を共に端末に伝達する場合に使用可能な登録解除命令メッセージフォーマットの一例を示すものである。
【０１０２】
【表１】
0005155457.tif 000002
表１を参照すると、マクロ基地局のページング情報とフェムト基地局のページング情報とが区分されてＤＲＥＧ−ＣＭＤメッセージにそれぞれ含まれることがわかる。
【０１０３】
ＭＢＳ及びＦＢＳのページング情報は、上述した通り、ＤＲＥＧ−ＣＭＤメッセージを通じて端末が獲得でき、位置更新時にレンジング応答メッセージを通じて端末が獲得することができる。
【０１０４】
下記の表２は、端末がＭＢＳ領域で位置更新時にＭＢＳから受信するレンジング応答メッセージにＭＢＳ及びＦＢＳのそれぞれのページング情報が含まれる一例を示すものである。
【０１０５】
【表２】
0005155457.tif 000003
表２を参照すると、ＭＢＳに関するページング情報（Ｍａｃｒｏ  ＢＳ  Ｐａｇｉｎｇ  ｉｎｆｏｒｍａｔｉｏｎ）、及びＭＢＳとオーバーレイ状態であり、端末の加入したＣＳＧ（ＭＳ’ｓ  ＣＳＧ  ｉｎ  ｏｖｅｒｌａｙ  ｍａｃｒｏ  ＢＳ）に属するＦＢＳのページング情報がそれぞれ含まれることができる。
【０１０６】
本願発明の実施例で、Ｍ＿ＰＧＩＤ及びＦ＿ＰＧＩＤは互いに相関関係を持つことができ、これは、端末がそれぞれ異なるページンググループ識別子を持つ領域を移動する場合にも所定の条件を満たす限り位置更新を行わなくて済むということを意味できる。
【０１０７】
以下では、本発明の実施例で用いることができる位置更新手順について詳細に説明する。
【０１０８】
遊休モード状態にある端末は、様々な始発条件によって位置更新を行うことができる。端末は、時間ベースの位置更新（Ｔｉｍｅｒ  ｂａｓｅｄ  ｌｏｃａｔｉｏｎ  ｕｐｄａｔｅ）、ページンググループ位置更新（Ｐａｇｉｎｇ  ｇｒｏｕｐ  ｌｏｃａｔｉｏｎ  ｕｐｄａｔｅ）、電力ダウン位置更新（Ｐｏｗｅｒ  ｄｏｗｎ  ｌｏｃａｔｉｏｎ  ｕｐｄａｔｅ）及びＭＡＣハッシュスキップ臨界値更新（ＭＡＣ  ｈａｓｈ  ｓｋｉｐ  ｔｈｒｅｓｈｏｌｄ  ｕｐｄａｔｅ）などの位置更新を行うことができる。
【０１０９】
例えば、端末（ＭＳ）、マクロ基地局（ＭＢＳ）及びフェムト基地局（ＦＢＳ）のいずれか一方が持っている位置更新タイマーが満了すると、端末は、時間ベースの位置更新を行うことができる。また、端末は、自身のページンググループが変更された場合にページンググループ位置更新を行うことができる。また、端末は、電源をオフ（ｏｆｆ）する前に電力ダウン更新（Ｐｏｗｅｒ  Ｄｏｗｎ  Ｕｐｄａｔｅ）を行うことができる。
【０１１０】
また、端末は、本発明の実施例で定義されるフェムト基地局を変更する場合に位置更新を行うことができ、一つ以上のフェムト基地局を含むフェムトページンググループ（ＦＰＧ：Ｆｅｍｔｏ  Ｐａｇｉｎｇ  Ｇｒｏｕｐ）を変更する場合に位置更新を行うことができる。
【０１１１】
また、遊休モード状態の端末は、マクロ基地局からフェムト基地局へ移動したり、フェムト基地局からマクロ基地局へ移動する場合、または、フェムトセル領域を外れた場合に位置更新を行うことができる。
【０１１２】
図５は、本発明の他の実施例であって、端末が位置更新を行う方法の一例を示す図である。
【０１１３】
図５は、端末がマクロ基地局（ＭＢＳ）のマクロセル領域（Ｍａｃｒｏ  Ｃｅｌｌ  ｒｅｇｉｏｎ）で遊休モードに進入した場合を示す。この場合、図５ａは、遊休モード端末（ＭＳ）がマクロセル領域からホームフェムトセル領域へ移動する場合を示す。本発明の実施例で、フェムト基地局のＣＳＧベースのＦ＿ＰＧＩＤはＰＧＩＤ１と設定され、マクロ基地局のＭ＿ＰＧＩＤはＰＧＩＤ０と設定されることができる。ここで、ＰＧＩＤ１及びＰＧＩＤ０は相関関係を有するとする。
【０１１４】
端末は、マクロセル内のＢ位置（Ｐｏｓｉｔｉｏｎ  Ｂ）でフェムトセル内のＡ位置（Ｐｏｓｉｔｉｏｎ  Ａ）に移動することができる。この時、端末はページンググループ識別子が他の領域へ移動したから位置更新を行わなければならない。しかし、端末が図４で説明した相関関係を有するページンググループへ移動した場合には、端末は位置更新を行うことなく位置更新遅延タイマー（以下、“Ｐタイマー”と称する。）を設定することによって、位置更新手順を過度に行うことを防止することができる。ここで、タイマーを設定するということは、タイマーのカウンターを初期化した状態で経過時間の測定を開始するという意味である。
【０１１５】
図５ｂを参照すると、端末は遊休モードに進入する時に位置更新タイマー（以下、“Ｔタイマー”と称する。）を設定することができる。以降、端末がＢ位置から相関関係を持つＡ位置に移動した場合、端末はＰタイマーを設定することができる。もし、Ａ位置で端末のＰタイマーが満了した場合には、端末はフェムト基地局（ＦＢＳ）と位置更新を行うことができる。
【０１１６】
図５で、端末が位置更新を行う場合には全てのタイマー（Ｔタイマー及びＰタイマー）が新されることができる。また、Ｐタイマーが満了する前に端末がＰＧＩＤ０ではなく他のページング領域（例えば、ＰＧＩＤ２またはＰＧＩＤ３等）へ移動した場合には、ページンググループ変更による位置更新を行うことができる。
【０１１７】
ただし、図５で、Ｐタイマーが設定されて動作する時点からＰタイマーが満了するまでの区間で端末にページングメッセージが伝送される場合、端末がページングメッセージを確かに受信できる方法が必要である。
【０１１８】
以下では、端末がページングメッセージを確かに受信できる方法を、遊休モード進入時にサービング基地局から１）サービング基地局のページング情報及びサービング基地局にオーバーレイされた別の基地局のページング情報を共に受信した場合と２）サービング基地局のページング情報のみを受信した場合とに分けて説明する。
【０１１９】
（１）端末が登録解除命令メッセージを通じてサービング基地局のページング情報及びサービング基地局にオーバーレイされた別の基地局のページング情報を共に受信する場合
図６は、本発明の他の実施例による端末がページングメッセージを確かに受信する方法の一例を示す。
【０１２０】
図６で、端末は、マクロ基地局（ＭＢＳ）領域で遊休モードに進入する場合を想定する。したがって、端末はＭＢＳからＭＢＳのページング情報及びＦＢＳのページング情報を含む登録解除命令（ＤＲＥＧ−ＣＭＤ）メッセージを受信することができる（Ｓ６０１）。
【０１２１】
ＤＲＥＧ−ＣＭＤメッセージを受信した端末は、遊休モードに進入することができる。この時、端末は遊休モードに進入した後に位置更新タイマー（例えば、Ｔタイマー）を設定することができる（Ｓ６０２）。
【０１２２】
また、端末は、遊休モード状態でセル領域を移動することができる。本発明の実施例で、端末はＭＢＳセル領域からＦＢＳセル領域へ移動することができる。このとき、端末は位置更新を行うことなくＰタイマーを設定することで、過度な位置更新オーバーヘッドを減らすことができる（Ｓ６０３）。
【０１２３】
遊休モード端末に向かうトラフィックやコールが発生した場合、ページングコントローラ（ＰＣ：Ｐａｇｉｎｇ  Ｃｏｎｔｒｏｌｌｅｒ）はページングメッセージをマクロ基地局またはフェムト基地局に伝送することができる。この時、ＰＣは、まず、端末が遊休モードに進入したＭＢＳにページングアナウンスメント（Ｐａｇｉｎｇ  Ａｎｎｏｕｎｃｅｍｅｎｔ）メッセージを伝送することができる（Ｓ６０４）。
【０１２４】
ＭＢＳは、ＰＣからページングアナウンスメントメッセージを受信すると、ページング公示（ＰＡＧ−ＡＤＶ）メッセージを放送することができる。この時、端末は、ＦＢＳセル領域でＭＢＳが放送したページング公示メッセージを受信することができる（Ｓ６０５）。
【０１２５】
端末がフェムトセル領域に留まる時間が長くなると、Ｐタイマーは満了することができる。このような場合、端末はＦＢＳと位置更新を行うことができる（Ｓ６０６）。
【０１２６】
これによって、ＦＢＳは端末情報及びＦＢＳ情報をＰＣと共有することができる（Ｓ６０７）。
【０１２７】
また、ＰＣは、端末に向かうトラフィックまたはコール（ｃａｌｌ）が発生した場合、ＭＢＳではなくＦＢＳにページングアナウンスメントメッセージを伝送することができる（Ｓ６０８）。
【０１２８】
ＦＢＳはＰＣからページングメッセージを受信すると、自身のＦＢＳセル領域にページング公示（ＰＡＧ−ＡＤＶ）メッセージを放送したり、特定端末にユニキャスト形式でページング公示メッセージを伝送することができる（Ｓ６０９）。
【０１２９】
図７は、本発明の他の実施例であって、フェムトセル環境で端末にページングメッセージを確かに伝送する方法の他の例を示す図である。
【０１３０】
図７のＳ７０１段階乃至Ｓ７０４段階は、図６のＳ６０１段階乃至Ｓ６０４段階と略同様である。したがって、Ｓ７０１段階乃至Ｓ７０４段階の説明は、図６を参照するものとする。
【０１３１】
図７を参照すると、ＭＢＳは、自身のセル領域でページング公示（ＰＡＧ−ＡＤＶ）メッセージを放送することができる。この時、端末から応答がないと、ＭＢＳはページング公示（ＰＡＧ−ＡＤＶ）メッセージを所定回数（例えば、Ｎ回）だけ反復して放送することができる（Ｓ７０５）。
【０１３２】
ＭＢＳがページング公示メッセージをＮ回放送した後にも端末から応答がないと、ＭＢＳは、ページングコントローラ（ＰＣ）にこのような事実を報告するための報告メッセージ（ｒｅｐｏｒｔ  ｍｅｓｓａｇｅ）を伝送することができる。この報告メッセージには、ＭＢＳに関する情報、端末に関する情報、ＭＢＳに属しているＦＢＳに関する情報及びページング回数に関する情報のうち一つ以上が含まれることができる（Ｓ７０６）。
【０１３３】
マクロ基地局から報告メッセージを受信したページングコントローラは、ＭＢＳ及びＦＢＳのうちの一つ以上にページングメッセージを伝送することができる。ただし、図７では、ＭＢＳのセル領域でページングに失敗したので、ＰＣはＦＢＳにページングアナウンスメントメッセージを伝送することが好ましい（Ｓ７０９）。
【０１３４】
ＦＢＳは、ＰＣからページングアナウンスメントメッセージを受信したので、ページング公示メッセージ（ＰＡＧ−ＡＤＶ）を自身のセル領域に放送したり、または、ユニキャスト形式で特定の端末に伝送することができる（Ｓ７１０）。
【０１３５】
ただし、選択的に、ＰＣはＦＢＳにページングメッセージを伝送しながらＭＢＳにもページングアナウンスメントメッセージを再び伝送することができる（Ｓ７０７）。
【０１３６】
この場合、ＭＢＳはＰＣからページングアナウンスメントメッセージを受信したので、端末にページング公示メッセージを放送することができる（Ｓ７０８）。
【０１３７】
図７で説明した方法と違い、Ｓ７０５段階でＭＢＳはＮ回ページング公示メッセージを伝送した後にも端末から応答がない場合に、該当の端末との連結を解除することができる。
【０１３８】
図８は、本発明の他の実施例であって、移動局が位置更新を行う方法の一例を示す図である。
【０１３９】
図８は、移動局がフェムトセル領域で遊休モードに進入する場合を示す。この場合、図８ａに示すように、遊休モード移動局（ＭＳ）がホームフェムトセル領域からマクロセル領域へ移動することができる。本発明の実施例で、フェムト基地局のＣＳＧベースのＦ＿ＰＧＩＤはＰＧＩＤ１と設定し、マクロ基地局のＭ＿ＰＧＩＤはＰＧＩＤ０と設定することができる。ここで、ＰＧＩＤ１及びＰＧＩＤ０は相関関係を有するとする。
【０１４０】
移動局は、フェムトセル内のＡ位置（Ｐｏｓｉｔｉｏｎ  Ａ）からマクロセル内のＢ位置（Ｐｏｓｉｔｉｏｎ  Ｂ）に移動することができる。この時、移動局は、異なるページンググループ識別子を有する領域へ移動したから、位置更新を行わなければならない。しかし、図４で説明したように移動局が相関関係を有するページンググループへ移動した場合には、移動局は位置更新を行わず、位置更新遅延タイマー（Ｐタイマー）を設定することによって、位置更新手順が過度に行われることを防止することができる。
【０１４１】
図８ｂを参照すると、移動局は遊休モードに進入する時に位置更新タイマー（Ｔタイマー）を設定する。以降、移動局がＡ位置から相関関係を有するＢ位置に移動した場合、移動局はＰタイマーを設定することができる。もし、Ｂ位置で移動局のＰタイマーが満了した場合には、移動局はマクロ基地局（ＭＢＳ）と位置更新を行うことができる。
【０１４２】
図８で、移動局が位置更新を行う場合には全てのタイマー（Ｔタイマー及びＰタイマー）が更新されることができる。また、Ｐタイマーが満了する前に移動局がＰＧＩＤ１ではなく他のページング領域（例えば、ＰＧＩＤ２またはＰＧＩＤ３等）へ移動した場合には、ページンググループ変更による位置更新を行うことができる。
【０１４３】
図９は、本発明の他の実施例であって、フェムトセル環境で移動局にページングメッセージを確かに伝送する方法の一例を示す図である。
【０１４４】
図９は、本発明の他の実施例であって、フェムトセル環境で移動局にページングメッセージを伝送する方法の一例を示す図である。
【０１４５】
図９で、移動局はフェムト基地局（ＦＢＳ）で遊休モードに進入する場合を仮定する。したがって、移動局は、ＦＢＳからＭ＿ＰＧＩＤ、Ｆ＿ＰＧＩＤ及びページング情報（Ｐａｇｉｎｇ  Ｉｎｆｏｒｍａｔｉｏｎ）を含む登録解除命令（ＤＲＥＧ−ＣＭＤ）メッセージを受信することができる（Ｓ９０１）。
【０１４６】
ＤＲＥＧ−ＣＭＤメッセージを受信した移動局は、遊休モードに進入することができる。この時、移動局は遊休モードに進入した後に位置更新タイマー（例えば、Ｔタイマー）を設定することができる（Ｓ９０２）。
【０１４７】
また、移動局は遊休モード状態でセル領域を移動することができる。本発明の実施例で、移動局は、ＦＢＳセル領域からＭＢＳセル領域へ移動することができる。この時、移動局は、相関関係を有するセル領域間を移動する場合には位置更新を行わず、Ｐタイマーを設定することによって、過度な位置更新オーバーヘッドを減らすことができる（Ｓ９０３）。
【０１４８】
遊休モード移動局に向かうトラフィックやコールが発生した場合、ページング制御機（ＰＣ）は、ページングメッセージをマクロ基地局またはフェムト基地局に伝送することができる。この時、ＰＣは、まず、移動局が遊休モードに進入したＦＢＳにページングアナウンスメントメッセージ（Ｐａｇｉｎｇ  Ａｎｎｏｕｎｃｅｍｅｎｔ  Ｍｅｓｓａｇｅ）を伝送することができる（Ｓ９０４）。
【０１４９】
ＦＢＳは自身のセル領域にページング広告（ＰＡＧ−ＡＤＶ）メッセージを放送することができる。この時、移動局から応答がないと、ＦＢＳはページング広告（ＰＡＧ−ＡＤＶ）メッセージを所定回数（例えば、Ｎ回）だけ反復してフェムトセル領域に放送することができる（Ｓ９０５）。
【０１５０】
移動局は、Ｓ９０１段階における登録解除命令メッセージに含まれたページング情報に基づいてページング広告メッセージをモニターすることができる。したがって、移動局はＦＢＳから放送または伝送されたページング広告メッセージを受信できない場合がある。
【０１５１】
ＦＢＳがページング広告メッセージをＮ回放送した後にも移動局から応答がないと、ＦＢＳはページング制御機（ＰＣ）にこのような事実を報告するための報告メッセージ（ｒｅｐｏｒｔ  ｍｅｓｓａｇｅ）を伝送することができる。この報告メッセージには、ＦＢＳに関する情報、移動局に関する情報、ＦＢＳの属しているＭＢＳに関する情報及びページング回数に関する情報のうち一つ以上が含まれることができる（Ｓ９０６）。
【０１５２】
ＦＢＳから報告メッセージを受信したページング制御機は、ＭＢＳ及びＦＢＳのうちの一つ以上にページングメッセージを伝送することができる。
【０１５３】
図９では、ＦＢＳのセル領域でページングに失敗したので、ＭＢＳにページングアナウンスメントメッセージを伝送することが好ましい（Ｓ９０７）。
【０１５４】
ＭＢＳはＰＣからページングメッセージを受信したので、ページング広告メッセージ（ＰＡＧ−ＡＤＶ）を自身のセル領域に放送したり、または、ユニキャスト形式で伝送することができる（Ｓ９０８）。
【０１５５】
移動局はＭＢＳのセル領域へ移動した場合、ＦＢＳのダウンリンク同期情報が取れない場合に、ＭＢＳとダウンリンク同期を合わせることができる。ＭＢＳとダウンリンク同期を合わせた移動局は、ＭＢＳから割り当てられたページング情報を用いて、ＭＢＳが伝送したＰＡＧ−ＡＤＶメッセージを受信することができる。ただし、移動局がＭＢＳ領域でもＦＢＳと同期している場合には、移動局はＦＢＳから割り当てられたページング情報を用いてＭＢＳ領域でＦＢＳからページング広告メッセージを受信することができる。
【０１５６】
図９で、ＰＣはＭＢＳにページングメッセージを伝送しながら選択的にＦＢＳにもページングアナウンスメントメッセージを再び伝送することができる（Ｓ９０９）。
【０１５７】
この場合、ＦＢＳはＰＣからページングメッセージを受信したので、移動局にページング広告メッセージを放送することができる（Ｓ９１０）。
【０１５８】
もし、図９でＰタイマーが満了した場合には、移動局はＭＢＳと位置更新を行うことができる。この場合には、移動局はＭＢＳからページングメッセージを受信することができる。
【０１５９】
図９で説明した方法と違い、Ｓ９０５段階でＦＢＳがＮ回ページング広告メッセージを伝送した後にも移動局から応答がない場合には、ＭＢＳは移動局との連結を解除することができる。
【０１６０】
次に、上述した図７のＳ７０５段階でＭＢＳが自身のセル領域に放送するページング公示（ＰＡＧ−ＡＤＶ）メッセージに対応する端末から応答がない場合、ＭＢＳはＦＢＳに、端末にページング公示メッセージを直接伝達するように要請することができる。これを、図１０を参照して説明する。
【０１６１】
図１０は、本発明の他の実施例であって、フェムトセル環境で端末にページングメッセージを確かに伝送する方法の他の例を示す図である。
【０１６２】
図１０のＳ１００１段階乃至Ｓ１００５段階は、図７のＳ７０１段階乃至Ｓ７０５段階と略同様であり、よって、Ｓ１００１段階乃至Ｓ１００５段階の説明は、図６及び図７を参照するものとする。
【０１６３】
図１０を参照すると、ＭＢＳが自身のセル領域に放送するページング公示（ＰＡＧ−ＡＤＶ）メッセージに対応する端末から応答がない場合、ＭＢＳは、端末にページング公示メッセージを直接伝達するように要請するメッセージをＦＢＳに伝送することができる（Ｓ１００６）。
【０１６４】
ここで、ＭＢＳからＦＢＳに伝送される要請メッセージには、ＭＢＳに関する情報、端末に関する情報、ＭＢＳに属しているＦＢＳに関する情報、ページング回数に関する情報及びページング情報のうち一つ以上が含まれることができる。
【０１６５】
ＦＢＳは、このような要請メッセージを受信すると、要請メッセージに含まれた情報を用いてページング公示メッセージ（ＰＡＧ−ＡＤＶ）を自身のセル領域に放送したり、または、ユニキャスト形式で特定端末に伝送することができる（Ｓ１００７）。
【０１６６】
ところが、上述した通り、Ｐタイマーが満了して位置更新がなされるまでには、端末はＭＢＳだけでなくＦＢＳからもページングメッセージを受信できることが好ましい。このために、端末は、Ｐタイマー区間では、ＭＢＳから登録解除命令メッセージを通じて獲得したＭＢＳページング情報及びＦＢＳページング情報を用いて、両基地局のページングメッセージが伝達されるそれぞれの区間でページングメッセージ（ＰＡＧ−ＡＤＶ）を監視（モニタリング）することが好ましい。これを、図１１を参照して説明する。
【０１６７】
図１１は、本発明の他の実施例であって、フェムトセル環境で端末にページングメッセージを確かに伝送する方法のさらに他の例を示す図である。
【０１６８】
図１１では、端末がＭＢＳ領域（Ｐｏｓｉｔｉｏｎ  Ｂ）で遊休モードに進入した後にＦＢＳ領域（Ｐｏｓｉｔｉｏｎ  Ａ、フェムトセル）へ移動すると仮定する。また、ＭＢＳのページング周期とＦＢＳのページング周期は同一であるが、ページングオフセット互いに異なると仮定する。
【０１６９】
端末がＭＢＳ領域からＦＢＳ領域へ移動すると、Ｐタイマーが設定されることができる（Ｓ１１０１）。
【０１７０】
端末がＦＢＳ領域へ移動した後、最初のページング周期のＭＢＳのページングオフセットで端末はＭＢＳから放送されるページングメッセージ（ＰＡＧ−ＡＤＶ）を受信することができる。この場合、端末はＦＢＳから放送されるページングメッセージを受信する必要がない（Ｓ１１０２）。
【０１７１】
ところが、端末がフェムトセルで移動し続ける中で、フェムトセルの特定地域でＭＢＳから放送されるページングメッセージを受信できないことがある。この場合、端末はＭＢＳにページングメッセージに対する応答を伝送できなくなる（Ｓ１１０３）。
【０１７２】
このため、ＭＢＳは端末からページングメッセージに対する応答メッセージを受信できず、よって、ページングコントローラ（ＰＣ）に端末へのページングメッセージの伝送失敗を知らせる報告メッセージを伝送することができる。これによって、ＰＣは、ＦＢＳをして端末にページングメッセージを伝送させることができる。また、ＭＢＳは、ページングコントローラを経ることなく、直接ＦＢＳにページングメッセージを端末に伝送するように要請するメッセージを送ることもできる。
【０１７３】
これによって、ＦＢＳは、自身のページングオフセットで端末にページングメッセージを伝送することができる。この時、端末は、遊休モード進入時に獲得したフェムトセルのページング情報を用いて、フェムトセルのページングオフセットでＦＢＳから放送されるページングメッセージが存在するか否かをモニタリングして受信することができる（Ｓ１１０４）。
【０１７４】
Ｐタイマーが満了した後にも引き続き端末がフェムトセルに留まる場合、端末はＦＢＳへと位置更新を行うことができる（Ｓ１１０５）。
【０１７５】
以降の時点から端末はＦＢＳからページングメッセージを受信することができる。したがって、ＦＢＳのみが端末にページングメッセージを伝送するので、ページングオーバーヘッドを最小化することができる。
【０１７６】
（２）端末が登録解除命令メッセージを通じてサービング基地局のページング情報のみを受信する場合
図１２は、本発明のさらに他の実施例による端末がページングメッセージを確かに受信する方法の一例を示す図である。
【０１７７】
図１２で、端末は、マクロ基地局（ＭＢＳ）で遊休モードに進入する場合を仮定する。したがって、端末は、ＭＢＳからＭＢＳのページング情報を含む登録解除命令（ＤＲＥＧ−ＣＭＤ）メッセージを受信することができる（Ｓ１２０１）。
【０１７８】
ＤＲＥＧ−ＣＭＤメッセージを受信した端末は、遊休モードに進入することができる。この時、端末は、遊休モードに進入した後に位置更新タイマー（例えば、Ｔタイマー）を設定することができる（Ｓ１２０２）。
【０１７９】
また、端末は、遊休モード状態でセル領域を移動することができる。本発明の実施例で、端末はＭＢＳセル領域からＦＢＳセル領域へ移動することができる。この時、端末は位置更新を行わず、Ｐタイマーを設定することによって、過度な位置更新オーバーヘッドを減らすことができる（Ｓ１２０３）。
【０１８０】
遊休モード端末に向かうトラフィックやコールが発生した場合、ページングコントローラ（ＰＣ：Ｐａｇｉｎｇ  Ｃｏｎｔｒｏｌｌｅｒ）は、ページングメッセージをマクロ基地局またはフェムト基地局に伝送することができる。この時、ＰＣは、まず、端末が遊休モードに進入したＭＢＳにページングアナウンスメント（Ｐａｇｉｎｇ  Ａｎｎｏｕｎｃｅｍｅｎｔ）メッセージを伝送することができる（Ｓ１２０４）。
【０１８１】
ＭＢＳは、ＰＣからページングアナウンスメントメッセージを受信すると、端末にページング公示（ＰＡＧ−ＡＤＶ）メッセージを放送することができる。この時、端末は、ＦＢＳセル領域でＭＢＳが放送したページング公示メッセージを受信することができる（Ｓ１２０５）。
【０１８２】
端末がフェムトセル領域に留まる時間が長くなると、Ｐタイマーが満了することがある。こうなる場合、端末はＦＢＳと位置更新を行うことができる。この時、位置更新過程は、ＦＢＳに端末がレンジング要請（ＲＮＧ−ＲＥＱ）メッセージを伝送し、ＦＢＳがレンジング要請メッセージに対する応答としてレンジング応答（ＲＮＧ−ＲＳＰ）メッセージを端末に伝送する過程によってなされることができる。ここで、レンジング応答メッセージにはＦＢＳのページング情報が含まれることができ、場合によって、ＦＢＳ自身にオーバーレイされたＭＢＳのページング情報がさらに含まれることもできる（Ｓ１２０６）。
【０１８３】
端末は、位置更新を行ってＦＢＳのページング情報を獲得した場合にも、Ｓ１２０１段階で獲得したＭＢＳのページング情報を保持（ｒｅｔａｉｎ）することが好ましい。ただし、Ｓ１２０６過程でＭＢＳのページング情報を再び得った場合には、ＭＢＳのページング情報を更新して保持することができる（Ｓ１２０７）。
【０１８４】
この時、ＭＢＳのページング情報は位置更新（Ｓ１２０６）から少なくとも１ページング周期または所定のタイマーが経過した後に端末から削除されることもできる。
【０１８５】
端末が位置更新を行うことによって、ＦＢＳは端末情報及びＦＢＳ情報をＰＣと共有することができる（Ｓ１２０８）。
【０１８６】
また、ＰＣは、端末に向かうトラフィックまたはコール（ｃａｌｌ）が発生した場合、ＭＢＳではなくＦＢＳにページングアナウンスメントメッセージを伝送することができる（Ｓ１２０９）。
【０１８７】
ＦＢＳは、ＰＣからページングメッセージを受信すると、自身のＦＢＳセル領域にページング公示（ＰＡＧ−ＡＤＶ）メッセージを放送したり、特定端末にユニキャスト形式でページング公示メッセージを伝送することができる。この時、端末は、Ｓ１２０６段階で獲得したＦＢＳのページング情報を用いてページング公示メッセージをＦＢＳから受信することができる（Ｓ１２１０）。
【０１８８】
一方、Ｓ１２０９過程後に、端末がフェムトセルを外れて再びＭＢＳ領域へ移動すると、Ｐタイマーは再設定され、Ｐタイマーが満了する前であれば、フェムト基地局はＭＢＳ領域で位置更新を行わない。このとき、端末が引き続き移動してＦＢＳから離れ、それ以上ＦＢＳからページングメッセージを受信できなくなる場合における端末及び基地局の動作を、図１３を参照して説明する。
【０１８９】
図１３は、本発明のさらに他の実施例による端末がページングメッセージを確かに受信する方法の他の例を示す。
【０１９０】
図１３では、端末が、図１２のＳ１２０９過程まで行った後、ＦＢＳ領域（Ｐｏｓｉｔｉｏｎ  Ａ、フェムトセル）からＭＢＳ領域（Ｐｏｓｉｔｉｏｎ  Ｂ）へ移動すると仮定する。また、ＭＢＳのページング周期及びＦＢＳのページング周期は同一であるが、ページングオフセットは互いに異なると仮定する。
【０１９１】
端末がＦＢＳ領域からＭＢＳ領域へ移動することからＰタイマーが設定されることができる（Ｓ１３０１）。
【０１９２】
端末がＭＢＳ領域へ移動した後、最初のページング周期のＦＢＳのページングオフセットで端末はＦＢＳが放送またはユニキャストするページングメッセージ（ＰＡＧ−ＡＤＶ）を受信することができる。この場合、端末は、ＭＢＳから放送されるページングメッセージを受信する必要がない（Ｓ１３０２）。
【０１９３】
ところが、端末がＭＢＳ領域で引き続き移動してフェムトセルから遠ざかり、ＦＢＳのページングオフセットでＦＢＳから放送されるページングメッセージをそれ以上受信できず、よって、端末はＦＢＳにページングメッセージに対する応答を伝送できなくなる（Ｓ１３０３）。
【０１９４】
この場合、ＦＢＳは端末からページングメッセージに対する応答メッセージを受信できなかったため、ページングコントローラに端末へのページングメッセージの伝送失敗を知らせる報告メッセージを伝送し、ＭＢＳをして端末にページングメッセージを伝送させることができる。ＦＢＳはまた、ページングコントローラを経ることなく、ページングメッセージを端末に伝送するように要請するメッセージをＭＢＳに直接送ることもできる。
【０１９５】
これによって、ＭＢＳは、自身のページングオフセットで端末にページングメッセージを伝送することができる。この時、端末は遊休モード進入時に獲得したＭＢＳのページング情報を用いて、ＭＢＳのページングオフセットでＭＢＳから放送されるページングメッセージが存在するか否かをモニタリングして受信することができる（Ｓ１３０４）。
【０１９６】
Ｐタイマーが満了した後にも引続き端末がＭＢＳ領域に留まる場合、端末は、ＭＢＳに位置更新を行うことができる（Ｓ１３０５）。
【０１９７】
以降の時点から端末はＭＢＳからページングメッセージを受信することができる。したがって、ＭＢＳのみが端末にページングメッセージを伝送するので、ページングオーバーヘッドを最小化することができる。
【０１９８】
本発明の実施例は、ＭＢＳ領域で端末が遊休モードに進入した後にフェムトセルに移動する場合を中心に説明されたが、端末がフェムトセルで遊休モードに進入した後、ＭＢＳ領域へ移動する場合にも適用されることができる。
【０１９９】
例えば、表１及び表２は、ページング情報が登録解除命令（ＤＲＥＧ−ＣＭＤ）メッセージまたはレンジング応答（ＲＮＧ−ＲＳＰ）メッセージに含まれる形態の一例を表すが、これはＭＢＳだけでなくＦＢＳからこれらメッセージを端末が受信する場合にも適用されることができる。このような場合には勿論、ＦＢＳのページング情報には該当のＦＢＳ自身のページング情報のみが含まれる。
【０２００】
図１４は、本発明の実施例で使用可能なフェムト基地局及びマクロ基地局のページング周期の一例を示す図である。
【０２０１】
１スーパーフレームは２０ｍｓの周期を有することができる。１スーパーフレームは４個のフレームを有することができ、図１４では、３個のフレームがページング可能区間（Ａｖａｉｌａｂｌｅ  Ｉｎｔｅｒｖａｌ）またはページング聴取区間（Ｐａｇｉｎｇ  Ｌｉｓｔｅｎｉｎｇ  Ｉｎｔｅｒｖａｌ）に設定されることができる。ここで、６個のスーパーフレームが一つのフェムト基地局ページング周期（Ｆｅｍｔｏ  ＢＳ  Ｐａｇｉｎｇ  Ｃｙｃｌｅ）及びマクロ基地局ページング周期（Ｍａｃｒｏ  ＢＳ  Ｐａｇｉｎｇ  Ｃｙｃｌｅ）に設定されることができる。フェムト基地局のセル領域またはマクロ基地局のセル領域にある端末は、それぞれのセル領域のページング可能区間でページングメッセージを受信することができる。
【０２０２】
本発明のさらに他の実施例であって、上述した本発明の実施例を実行できる端末及び基地局（ＦＢＳ、ＭＢＳ）について説明する。
【０２０３】
端末はアップリンクでは送信機として動作し、ダウンリンクでは受信機として動作することができる。また、基地局はアップリンクでは受信機として動作し、ダウンリンクでは送信機として動作することができる。すなわち、端末及び基地局は、情報またはデータの伝送のために送信機及び受信機を含むことができる。
【０２０４】
送信機及び受信機は、本発明の実施例を行うためのプロセッサ、モジュール、部分及び／または手段などを含むことができる。特に、送信機及び受信機は、メッセージを暗号化するためのモジュール（手段）、暗号化されたメッセージを解析するためのモジュール、メッセージを送受信するためのアンテナなどを含むことができる。このような送信端と受信端の一例を、図１５を参照して説明する。
【０２０５】
図１５は、本発明のさらに他の実施例であって、送信端及び受信端構造の一例を示すブロック図である。
【０２０６】
図１５を参照すると、左側は送信端の構造を示し、右側は受信端の構造を示す。受信端及び送信端はそれぞれ、アンテナ５，１０、プロセッサ２０，３０、伝送モジュール（Ｔｘ  ｍｏｄｕｌｅ）４０，５０、受信モジュール（Ｒｘ  ｍｏｄｕｌｅ）６０，７０及びメモリー８０，９０を含むことができる。各構成要素は、互いに対応する機能を果たすことができる。以下、各構成要素について詳細に説明する。
【０２０７】
アンテナ５，１０は、伝送モジュール４０，５０で生成された信号を外部に伝送したり、外部から無線信号を受信したりして、受信モジュール６０，７０に伝達する機能を果たす。多重アンテナ（ＭＩＭＯ）機能が支援される場合には２個以上のアンテナとすることができる。
【０２０８】
アンテナ、伝送モジュール及び受信モジュールは一緒に、無線通信（ＲＦ）モジュールを構成することができる。
【０２０９】
プロセッサ２０，３０は、通常、受信端または送信端の全般的な動作を制御する。例えば、上述した本発明の実施例を行うためのコントローラー機能、サービス特性及び伝播環境に応じたＭＡＣ（Ｍｅｄｉｕｍ  Ａｃｃｅｓｓ  Ｃｏｎｔｒｏｌ）フレーム可変制御機能、ハンドオーバー（ＨａｎｄＯｖｅｒ）機能、認証及び暗号化機能などを行うことができる。
【０２１０】
特に、移動端末機のプロセッサは、フェムトセル環境で、フェムトセル及びマクロセルのページング情報のうち少なくとも一つを含む登録解除命令メッセージを無線通信モジュールを制御してマクロ基地局から受信し、マクロ基地局と位置更新を行うためのＴタイマーを設定することができる。その後、プロセッサは、移動端末機がマクロセル領域からフェムトセル領域へ移動すると、位置更新を所定の期間遅延するためのＰタイマーを設定し、マクロセル及びフェムトセルのページング情報を用いて、ページングメッセージをモニタリングする全般的な移動端末機の動作を制御することができる。
【０２１１】
また、プロセッサは、ＴタイマーまたはＰタイマーのいずれかが満了すると、フェムトセル領域で位置更新を行うように制御することができる。
【０２１２】
なお、プロセッサは、Ｐタイマーが満了して位置更新を行った場合、フェムトセルのページング情報を用いてフェムト基地局からページングメッセージを受信するように制御することができる。その他にも、移動端末機のプロセッサは、上述した移動端末機が行う動作を全般的に制御することができる。
【０２１３】
基地局のプロセッサは、端末から伝送されたＭＡＣメッセージまたはデータを解析して端末に必要なアップリンクリソースを割り当て、割当内訳を端末に知らせるためのアップリンクグラントなどを生成してこれを伝送するためのスケジューリングを行うことができる。
【０２１４】
伝送モジュール４０，５０は、プロセッサ２０，３０からスケジューリングされて外部に伝送されるデータに所定の符号化（ｃｏｄｉｎｇ）及び変調（ｍｏｄｕｌａｔｉｏｎ）を行ってアンテナ１０に伝達することができる。
【０２１５】
受信モジュール６０，７０は、外部からアンテナ５，１０を介して受信した無線信号に複号（ｄｅｃｏｄｉｎｇ）及び復調（ｄｅｍｏｄｕｌａｔｉｏｎ）を行って原本データの形態に復元してプロセッサ２０，３０に伝達することができる。
【０２１６】
メモリー８０，９０は、プロセッサ２０，３０の処理及び制御のためのプログラムを記憶する機能を果たすこともでき、入／出力されるデータ（基準同期情報による睡眠モード情報など）を臨時記憶する機能を果たすこともできる。また、メモリー８０，９０は、フラッシュメモリータイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリー（例えば、ＳＤまたはＸＤメモリーなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリー、磁気ディスク、光ディスクのうち少なくとも一タイプの記憶媒体を含むことができる。
【０２１７】
一方、基地局は、上述の本発明の実施例を行うためのコントローラ機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及びチャネル多重化機能、サービス特性及び伝播環境に応じたＭＡＣフレーム可変制御機能、高速トラフィック実時間制御機能、ハンドオーバー（Ｈａｎｄｏｖｅｒ）機能、認証及び暗号化機能、データ伝送のためのパケット変復調機能、高速パケットチャネルコーディング機能及び実時間モデム制御機能などを、上述したモジュールのうちの少なくとも一つを通じて行ったり、このような機能を行うための別の手段、モジュールまたは部分などをさらに含むことができる。
【０２１８】
本発明は、本発明の精神及び必須特徴を逸脱しない範囲で他の特定の形態に具体化されることができる。したがって、上記の詳細な説明は、いずれの面においても制約的に解析されてはならず、例示的なものとして考慮されなければならない。本発明の範囲は、添付した請求項の合理的な解析により決定されるべきであり、よって、本発明の等価的範囲内における変更はいずれも本発明の範囲に含まれる。また、特許請求の範囲で明示的な引用関係を有しない請求項を結合して実施例を構成したり、出願後の補正により新しい請求項として含めることができる。
【産業上の利用可能性】
【０２１９】
本発明の実施例は種々の無線接続システムに適用することができる。種々の無線接続システムの一例には、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／またはＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、これら種々の無線接続システムに限定されず、これら種々の無線接続システムを応用した技術分野のいずれにも適用可能である。
【図１】
0005155457.tif 000004
【図２】
0005155457.tif 000005
【図３】
0005155457.tif 000006
【図４】
0005155457.tif 000007
【図５】
0005155457.tif 000008
【図６】
0005155457.tif 000009
【図７】
0005155457.tif 000010
【図８】
0005155457.tif 000011
【図９】
0005155457.tif 000012
【図１０】
0005155457.tif 000013
【図１１】
0005155457.tif 000014
【図１２】
0005155457.tif 000015
【図１３】
0005155457.tif 000016
【図１４】
0005155457.tif 000017
【図１５】
0005155457.tif 000018